(57)【要約】      （修正有）【課題】外部配線の誤接続を防止する電力変換装置を提供する。【解決手段】電力変換装置は、第１電力変換器（充電器）及び第２電力変換器（ＤＣ／ＤＣコンバータ）を有する。当該電力変換装置の筐体１００の外側壁面に、第１電力変換器に電力変換装置外部（バッテリ）から電気接続するための第１接続端子Ｃ１、Ｃ２と、第２電力変換器に電力変換装置外部（電気負荷）から電気接続するための第２接続端子Ｃ３、Ｃ４と、を備える。第１接続端子と第２接続端子とは、互いに識別可能に構成されている。【選択図】図６
2020167808.tif 000002
【特許請求の範囲】
【請求項１】
第１電力変換器及び第２電力変換器を有する電力変換装置であって、
当該電力変換装置の筐体の外側壁面に、前記第１電力変換器に前記電力変換装置外部から電気接続するための第１接続端子と、前記第２電力変換器に前記電力変換装置外部から電気接続するための第２接続端子と、を備え、
前記第１接続端子と前記第２接続端子とは、互いに識別可能に構成されている、
電力変換装置。
【請求項２】
前記第１接続端子と前記第２接続端子とは、互いに異なる端子構造を有する、
請求項１に記載の電力変換装置。
【請求項３】
前記第１接続端子及び前記第２接続端子は、いずれも、外部配線の端子と電気接続するためのピン又は穴を有する差込型接続端子であり、
前記第１接続端子の前記ピン又は前記穴と、前記第２接続端子の前記ピン又は前記穴と、は、互いに異なるピン径又は穴径を有する、
請求項２に記載の電力変換装置。
【請求項４】
前記第１接続端子と前記第２接続端子とは、複数の外部装置それぞれからの距離が互いに異なる状態となるように、互いに離間して配設されている、
請求項１乃至３のいずれか一項に記載の電力変換装置。
【請求項５】
前記筐体の外側壁面に、
前記第１接続端子の周囲を囲繞するように配設され、前記第１接続端子に接続する外部配線の延在方向を規制する第１ガイド部材と、
前記第２接続端子の周囲を囲繞するように配設され、前記第２接続端子に接続する外部配線の延在方向を規制する第２ガイド部材と、
を備える、
請求項１乃至４のいずれか一項に記載の電力変換装置。
【請求項６】
前記筐体の外側壁面に、
前記第１接続端子の周囲を囲繞するように配設され、前記第１接続端子に接続する外部配線の外形を規制する第３ガイド部材と、
前記第２接続端子の周囲を囲繞するように配設され、前記第２接続端子に接続する外部配線の外形を規制する第４ガイド部材と、
を備える、
請求項１乃至５のいずれか一項に記載の電力変換装置。
【請求項７】
前記筐体の外側壁面において、
前記第１接続端子に隣接する位置に設けられた第１印字部と、
前記第２接続端子に隣接する位置に設けられた第２印字部と、を有し、
前記第１接続端子と前記第２接続端子とは、前記第１印字部及び第２印字部それぞれの表記により、互いに識別可能に構成されている、
請求項１乃至６のいずれか一項に記載の電力変換装置。
【請求項８】
前記第１接続端子と前記第２接続端子とは、互いに異なる色彩を有する、
請求項１乃至７のいずれか一項に記載の電力変換装置。
【請求項９】
前記第１接続端子及び前記第２接続端子は、いずれも、複数のピン又は複数の穴を有する差込型接続端子であり、
前記第１接続端子が有する前記ピン又は前記穴の個数と、前記第２接続端子が有する前記ピン又は前記穴の個数とは、互いに異なる、
請求項２に記載の電力変換装置。
【請求項１０】
前記筐体は、第１ケースと第２ケースとが接続されて構成されている、
請求項１乃至９のいずれか一項に記載の電力変換装置。
【請求項１１】
前記第１ケースに前記第１電力変換器が収納され、
前記第２ケースに前記第２電力変換器が収納される、
請求項１０に記載の電力変換装置。
【請求項１２】
前記第１ケースと前記第２ケースとは、接続時の互いの位置関係を規制する規制部を有する、
請求項１０または１１に記載の電力変換装置。
【請求項１３】
前記規制部は、前記第１ケースと前記第２ケースそれぞれの外側壁面に設けられた放熱フィンである、
請求項１２に記載の電力変換装置。
【請求項１４】
前記電力変換装置は、車両に搭載され、
前記第１電力変換器は、前記車両に搭載された電気負荷に電力を供給するＤＣ／ＤＣコンバータであり、
前記第２電力変換器は、前記車両に搭載されたバッテリからの電力を変換してモータに電力を供給するインバータである、
請求項１乃至１３のいずれか１項に記載の電力変換装置。
【請求項１５】
前記第１接続端子は、前記ＤＣ／ＤＣコンバータと前記電気負荷とを電気接続するための端子であり、
前記第２接続端子は、前記インバータと前記バッテリとを電気接続するための端子である、
請求項１４に記載の電力変換装置。
【発明の詳細な説明】
【技術分野】
【０００１】
本開示は、電力変換装置に関する。
【背景技術】
【０００２】
近年、車載用の電力変換装置に関して、省スペース化の観点から、機器の統合化が進められている。又、機器の統合化と共に、各機能をモジュール化し、組み合わせや拡張に柔軟に対応できるような構造設計も進められている。
【０００３】
特許文献１及び特許文献２には、充電器、インバータ、及びＤＣＤＣコンバータといった機器を統合化した態様が記載されている。
【先行技術文献】
【特許文献】
【０００４】
【特許文献１】特開２０１６−２２０３４４号公報
【特許文献２】中国特許出願公開第１０７４５３６８１号明細書
【発明の概要】
【発明が解決しようとする課題】
【０００５】
ところで、この種の電力変換装置においては、機器の統合化に伴い、各モジュールから引き延ばされた外部配線が当該電力変換装置に集中する状態が生じている。そのため、ユーザが、電力変換装置の接続端子に外部配線を接続する際に、誤接続するおそれがある。
【０００６】
本開示は、上記問題点に鑑みてなされたもので、外部配線の誤接続を防止し得る電力変換装置を提供することを目的とする。
【課題を解決するための手段】
【０００７】
前述した課題を解決する主たる本開示は、
第１電力変換器及び第２電力変換器を有する電力変換装置であって、
当該電力変換装置の筐体の外側壁面に、前記第１電力変換器に外部から電気接続するための第１接続端子と、前記第２電力変換器に外部から電気接続するための第２接続端子と、を備え、
前記第１接続端子と前記第２接続端子とは、互いに識別可能に構成されている、
電力変換装置である。
【発明の効果】
【０００８】
本開示に係る電力変換装置によれば、外部配線の誤接続を防止することが可能である。
【図面の簡単な説明】
【０００９】
【図１】一実施形態に係る電力変換装置の回路構成を示す図
【図２】一実施形態に係る電力変換装置の内部構造を示す図
【図３Ａ】一実施形態に係る電力変換装置の筐体を構成する上ケースを下方から見た図
【図３Ｂ】一実施形態に係る電力変換装置の筐体を構成する下ケースを上方から見た図
【図４】一実施形態に係る電力変換装置の筐体の正面図
【図５】一実施形態に係る電力変換装置の筐体の斜視図
【図６】一実施形態に係る電力変換装置の筐体の斜視図
【図７】一実施形態に係る電力変換装置の接続端子の拡大図
【図８】一実施形態に係る外部配線の構成を示す図
【発明を実施するための形態】
【００１０】
以下に添付図面を参照しながら、本開示の好適な実施形態について詳細に説明する。尚、本明細書及び図面において、実質的に同一の機能を有する構成要素については、同一の符号を付することにより重複説明を省略する。
【００１１】
［電力変換装置の全体構成］
以下、図１〜図３を参照して、本実施形態に係る電力変換装置の構成の一例について説明する。
【００１２】
図１は、本実施形態に係る電力変換装置１の回路構成を示す図である。
【００１３】
電力変換装置１は、電気自動車等の車両に搭載される。電力変換装置１は、外部電源２、バッテリ３、電気負荷４、及びモータ５と接続可能に構成されている。そして、電力変換装置１は、例えば、外部電源２から供給される電力を、電力変換してバッテリ３を充電し、又、バッテリ３からの電力を、電力変換して電気負荷４又はモータ５に供給する。
【００１４】
ここで、外部電源２は、例えば、商用交流電源である。又、バッテリ３は、例えば、リチウムイオンバッテリである。又、電気負荷４は、例えば、低電圧（例えば、１２Ｖ）の鉛バッテリや電子機器である。又、モータ５は、車両の走行駆動用のモータであり、例えば、低電圧（例えば、４８Ｖ）で駆動される単相交流モータである。
【００１５】
電力変換装置１は、ＡＣフィルタ部１０、充電器２０、ＤＣ／ＤＣコンバータ３０、インバータ４０、及び、制御部５０を備えている。
【００１６】
ＡＣフィルタ部１０は、外部電源２から侵入するノイズ及び外部電源２へ流出するノイズを低減する。
【００１７】
充電器２０は、ＡＣフィルタ部１０から入力される交流電力を直流電力に変換して、後段に出力する。充電器２０の出力ラインには、バッテリ３、ＤＣ／ＤＣコンバータ３０、及びインバータ４０が並列に接続されており、充電器２０から出力する直流電力は、バッテリ３、ＤＣ／ＤＣコンバータ３０、又はインバータ４０に供給される。
【００１８】
充電器２０は、例えば、ＡＣフィルタ部１０からの交流電力を整流する整流回路２１、整流回路２１から出力される電力の力率を改善する力率改善回路２２、及び、力率改善回路２２から出力される電力の電圧変換（例えば、降圧）を行う電圧変換回路２３（例えば、ＬＬＣ共振コンバータ）を含んで構成される。
【００１９】
ＤＣ／ＤＣコンバータ３０は、バッテリ３から出力された直流電力を、電圧変換して、電気負荷４に送出する。ＤＣ／ＤＣコンバータ３０は、例えば、降圧チョッパ回路によって構成されている。
【００２０】
インバータ４０は、バッテリ３から出力された直流電力を、交流電力に変換して、モータ５に送出する。インバータ４０は、例えば、Ｈブリッジ回路によって構成されている。
【００２１】
制御部５０は、充電器２０、ＤＣ／ＤＣコンバータ３０及びインバータ４０に対して制御信号（例えば、ＰＷＭ信号）を出力し、これらを動作させる。
【００２２】
電力変換装置１は、バッテリ３、電気負荷４、モータ５、及び外部電源２（以下、「外部装置」と総称する）それぞれを、充電器２０、ＤＣ／ＤＣコンバータ３０、及びインバータ４０（以下、「電力変換器」と総称する）それぞれと電気接続するための接続端子Ｃ１〜Ｃ８を有している。そして、電力変換装置１と外部装置とは、一端が接続端子Ｃ１〜Ｃ８に接続され、他端が外部装置に接続された外部配線Ｌ１〜Ｌ８によって電気接続されている。
【００２３】
より詳細には、電力変換装置１は、バッテリ３の正極に接続される接続端子Ｃ１、バッテリ３の負極に接続される接続端子Ｃ２、電気負荷４の正極に接続される接続端子Ｃ３、電気負荷４の負極に接続される接続端子Ｃ４、モータ５の正極に接続される接続端子Ｃ５、モータ５の負極に接続される接続端子Ｃ６、外部電源２の正極に接続される接続端子Ｃ７、及び、外部電源２の負極に接続される接続端子Ｃ８を有している。なお、本実施形態では、モータ５として単相交流モータを例示するが、３相交流モータであってもよい。この場合、モータ５に接続される接続端子は３つ存在する。
【００２４】
図２は、本実施形態に係る電力変換装置１の内部構造を示す図である。図３Ａは、本実施形態に係る電力変換装置１の筐体１００を構成する上ケース１００Ｕを下方から見た図であり、図３Ｂは、本実施形態に係る電力変換装置１の筐体１００を構成する下ケース１００Ｄを上方から見た図である。
【００２５】
ＡＣフィルタ部１０、充電器２０、ＤＣ／ＤＣコンバータ３０、インバータ４０、及び、制御部５０は、筐体１００の内部に収納されている。換言すると、本実施形態に係る電力変換装置１は、複数の電力変換器を有する統合型電力変換装置として構成されている。
【００２６】
筐体１００は、上ケース１００Ｕと下ケース１００Ｄとが接続されて構成されている。上ケース１００Ｕ及び下ケース１００Ｄは、例えば、アルミ材にて形成されている。そして、上ケース１００Ｕ及び下ケース１００Ｄは、収納空間が略密閉状態となるように接続されている。ここでは、下ケース１００Ｄに、ＡＣフィルタ部１０及び充電器２０が収納され、上ケース１００Ｕに、ＤＣ／ＤＣコンバータ３０、インバータ４０及び制御部５０が収納されている。尚、ＡＣフィルタ部１０、充電器２０、ＤＣ／ＤＣコンバータ３０、インバータ４０、及び、制御部５０は、それぞれ、回路基板上に構成されている。
【００２７】
上ケース１００Ｕと下ケース１００Ｄとは、上ケース１００Ｕに設けられたボルト穴１００Ｕｇ、１００Ｕｈ、１００Ｕｉ、及び下ケース１００Ｄに設けられたボルト穴１００Ｄｇ、１００Ｄｈ、１００Ｄｉに挿通されたボルト（図示せず）により締結固定されている。そして、上ケース１００Ｕと下ケース１００Ｄとの間を跨ぐ内部配線は、上ケース１００Ｕに設けられた貫通孔１００Ｕｊ、１００Ｕｋ、１００Ｕｌ、１００Ｕｍ、及び下ケース１００Ｄに設けられた貫通孔１００Ｄｊ、１００Ｄｋ、１００Ｄｌ、１００Ｄｍを介して配設されている。
【００２８】
又、上ケース１００Ｕと下ケース１００Ｄとは、それぞれ、放熱フィン１００Ｕｎ、１００Ｄｎを有している。ここでは、放熱フィン１００Ｕｎは、上ケース１００Ｕの下側壁面に、互いに平行に配列された複数の板体によって形成され、放熱フィン１００Ｄｎは、下ケース１００Ｄの上側壁面に、互いに平行に配列された複数の板体によって形成されている。
【００２９】
上ケース１００Ｕと下ケース１００Ｄとを接続する際には、上ケース１００Ｕの下側壁面と下ケース１００Ｄの上側壁面とを対向させて、放熱フィン１００Ｕｎと放熱フィン１００Ｄｎとが互いに噛み合うように配設される。この際、上ケース１００Ｕと下ケース１００Ｄとの相対的な回転角度にずれが生じている場合、放熱フィン１００Ｕｎと放熱フィン１００Ｄｎとが互いに干渉し合うことによって、両者を接続することができない状態となる。つまり、放熱フィン１００Ｕｎ及び１００Ｄｎは、上ケース１００Ｕと下ケース１００Ｄとを接続する際に互いの位置関係を規制する規制部としても機能している。
【００３０】
電力変換装置１に接続される各外部装置は、電力変換装置１から見て予め定めされた位置（例えば、電力変換装置１から見て上方向又は左方向等）となるように、当該電力変換装置１に隣接して配設される。本実施形態に係る各外部装置は、例えば、電力変換装置１の上方に配設されている。
【００３１】
［電力変換装置の端子構造］
次に、図４〜図８を参照して、本実施形態に係る電力変換装置１の端子構造について、説明する。
【００３２】
図４は、本実施形態に係る電力変換装置１の筐体１００の正面図である。図５、図６は、本実施形態に係る電力変換装置１の筐体１００の斜視図である。図５は、接続端子Ｃ１〜Ｃ６に外部配線Ｌ１〜Ｌ６を接続していない状態を示し、図６は、接続端子Ｃ１〜Ｃ６に外部配線Ｌ１〜Ｌ６を接続した状態を示している。図７は、本実施形態に係る電力変換装置１の接続端子Ｃ１〜Ｃ６の拡大図である。
【００３３】
図８は、本実施形態に係る外部配線Ｌ１〜Ｌ６の構成を示す図である。
【００３４】
尚、以下では、図中の上方向を上方向、図中の下方向を下方向、図中の右方向を右方向、図中の左方向を左方向として説明する。但し、これらの方向は、電力変換装置１の使用時の姿勢を制限するものではない。
【００３５】
電力変換装置１は、筐体１００の外側壁面に、６つの接続端子Ｃ１、Ｃ２、Ｃ３、Ｃ４、Ｃ５及びＣ６、６つの印字部Ｍ１、Ｍ２、Ｍ３、Ｍ４、Ｍ５及びＭ６、並びに、３つのガイド部材Ｃａ１、Ｃａ３及びＣａ５を備えている。尚、ここでは、説明の便宜として、図１、図２にて示した接続端子Ｃ７及びＣ８（及び外部配線Ｌ７、Ｌ８）については、説明を省略する。
【００３６】
尚、以下では、６つの接続端子Ｃ１、Ｃ２、Ｃ３、Ｃ４、Ｃ５及びＣ６のいずれかについて区別しない場合には「接続端子Ｃ」と総称する。又、６つの印字部Ｍ１、Ｍ２、Ｍ３、Ｍ４、Ｍ５及びＭ６のいずれかについて区別しない場合には「印字部Ｍ」と総称する。又、３つのガイド部材Ｃａ１、Ｃａ３及びＣａ５のいずれかについて区別しない場合には「ガイド部材Ｃａ」と総称する。又、外部配線Ｌ１、Ｌ２、Ｌ３、Ｌ４、Ｌ５及びＬ６のいずれかについて区別しない場合には「外部配線Ｌ」と総称する。
【００３７】
まず、図８を参照して、外部配線Ｌの構成について、説明する。
【００３８】
外部配線Ｌは、配線部Ｌｃ、当該配線部Ｌｃの一端側に設けられた端子部Ｌａ、当該配線部Ｌｃの他端側に設けられた端子部Ｌｂ、及び、当該配線部Ｌｃの端子部Ｌａ側の外周面に設けられた規制部Ｌｄを含んで構成される。尚、ここでは、端子部Ｌａが、電力変換装置１に接続される側の端子であり、端子部Ｌｂが、外部装置に接続される側の端子である。
【００３９】
外部配線Ｌとしては、例えば、電線を絶縁被覆したハーネスが用いられている。尚、外部配線Ｌの配線部Ｌｃは、余分な配線長がなくなるように、外部装置から、当該外部装置を接続する対象の接続端子Ｃまでの距離と略同一の配線長となるように設定されている。
【００４０】
端子部Ｌａ及びＬｂは、例えば、リング端子であり、当該リング端子のリング穴にピン又はボルトが挿通されるようにして、電力変換装置１の接続端子Ｃに接続される。端子部Ｌａのリング径は、外部配線Ｌを接続する対象の接続端子Ｃのピン径又は穴径に対応するように設定されており、典型的には、外部配線Ｌ１、Ｌ２、Ｌ３、Ｌ４、Ｌ５及びＬ６それぞれの端子部Ｌａのリング径は、互いに異なっている。
【００４１】
規制部Ｌｄは、端子部Ｌａの付近における外部配線Ｌの外形を形成する。規制部Ｌｄは、外部配線Ｌを接続する対象の接続端子Ｃの周囲のガイド部材Ｃａのガイド溝Ｃａａの形状（ここでは、幅）にあわせて形成されている。そして、規制部Ｌｄは、外部配線Ｌを接続端子Ｃに接続する際に、ガイド部材Ｃａとの干渉により、誤接続となる接続端子Ｃへの接続を防止する（図７を参照して後述する）。
【００４２】
次に、図４〜図７を参照して、接続端子Ｃの構成について、説明する。
【００４３】
接続端子Ｃは、例えば、差込型接続端子である（図５、図６を参照）。より詳細には、正極用の接続端子Ｃ（ここでは、Ｃ１、Ｃ３及びＣ５）は、外部配線Ｌの端子部Ｌａと嵌合する接続用ピンを有する差込型接続端子である。接続用ピンの外周面には、例えば、螺子溝が形成されており、外部配線Ｌの端子部Ｌａは、例えば、接続端子Ｃに挿通された状態でナット（ここでは、Ｃ１Ｔ、Ｃ３Ｔ及びＣ５Ｔ）により、接続端子Ｃに締結固定されている。
【００４４】
又、負極用の接続端子Ｃ（ここでは、Ｃ２、Ｃ４及びＣ６）は、外部配線Ｌの端子部Ｌａのリング穴の直径と略同径の接続用穴部を有する差込型接続端子である。接続用穴部の内周面には、例えば、螺子溝が形成されており、外部配線Ｌの端子部Ｌａは、例えば、接続端子Ｃと位置合わせされた状態で、両者を挿通するように配設されたボルト（ここでは、Ｃ２Ｔ、Ｃ４Ｔ及びＣ６Ｔ）により、接続端子Ｃと締結固定されている。
【００４５】
ここで、接続端子Ｃ１、Ｃ３及びＣ５の接続用ピンは、互いに異なるピン径となるように構成されている。又、外部配線Ｌ１、Ｌ３及びＬ５それぞれの端子部Ｌａのリング径は、接続端子Ｃ１、接続端子Ｃ３、及び接続端子Ｃ５それぞれの接続用ピンのピン径に対応するように設定されている。
【００４６】
本実施形態に係る電力変換装置１においては、当該構成によって、外部配線Ｌの端子部Ｌａと接続端子Ｃとの嵌合状態から、ユーザに、当該接続端子Ｃに接続しようとしている外部配線Ｌの種別の正誤を認識させる。
【００４７】
又、同様に、接続端子Ｃ２、Ｃ４、及びＣ６の接続用穴部は、互いに異なる穴径となるように構成されている。又、上記したように、外部配線Ｌ２、Ｌ４及びＬ６それぞれの端子部Ｌａのリング径は、接続端子Ｃ２、接続端子Ｃ４、及び接続端子Ｃ６それぞれの接続用穴部の穴径に対応するように設定されている。
【００４８】
本実施形態に係る電力変換装置１においては、当該構成によって、外部配線Ｌ側の端子部Ｌａと接続端子Ｃとを挿通するようにボルトＣ２Ｔ、Ｃ４Ｔ及びＣ６Ｔを挿通した際の嵌合状態から、ユーザに、当該接続端子Ｃに接続しようとしている外部配線Ｌの種別の正誤を認識させる。
【００４９】
尚、各接続端子Ｃを複数の接続用ピン（又は接続用穴部）で構成し、各接続端子Ｃの接続用ピン（又は接続用穴部）の個数を、互いに異なる態様としてもよい。そして、各外部配線Ｌの端子部Ｌａを、接続する対象の接続端子Ｃの端子構造にあわせた形状としてもよい。これによっても、外部配線Ｌの誤接続を防止することが可能である。
【００５０】
６つの接続端子Ｃは、外部装置からの距離が互いに異なる距離となるように、互いに離間して配設されている。具体的には、６つの接続端子Ｃは、接続端子Ｃ同士ができるだけ離間するように、筐体１００の下端部、上端部、左端部、又は右端部それぞれに分散して配設されている。本実施形態では、外部配線Ｌの誤接続が生じやすい接続端子Ｃ３と接続端子Ｃ５については、接続端子Ｃ３を筐体１００の右端部に配設し、接続端子Ｃ５を筐体１００の左端部に配設することによって、両者を離間させている。又、外部配線Ｌの誤接続が生じやすい接続端子Ｃ２と接続端子Ｃ４については、接続端子Ｃ２を筐体１００の上端部に配設し、接続端子Ｃ４を筐体１００の下端部に配設することによって、両者を離間させている。
【００５１】
尚、本実施形態では、接続端子Ｃ１、Ｃ２、Ｃ３、Ｃ４、Ｃ５、Ｃ６を、筐体１００の同一壁面に配設する構成としているが、筐体１００の互いに異なる壁面に配設する構成としてもよい。
【００５２】
本実施形態に係る電力変換装置１においては、当該構成によって、外部装置Ｌの端子から接続端子Ｃまでの物理的距離を、接続端子Ｃ毎に異ならせている。つまり、本実施形態では、外部配線Ｌの配線長の制約により、ある外部装置から引き延ばされた外部配線Ｌから見て、距離的に届く接続端子Ｃと、距離的に届かない接続端子Ｃとを作り出している。そして、外部装置と接続する接続端子Ｃとして、不適切な接続端子Ｃについては、当該外部装置から引き延ばされる外部配線Ｌからは距離的に届かない状態とし、適切な接続端子Ｃについては、当該外部装置から引き延ばされる外部配線Ｌからは距離的に届く状態としている。これによって、外部配線Ｌの誤接続を防止する。
【００５３】
６つの接続端子Ｃは、当該接続端子Ｃの種別を識別し得るように、当該接続端子Ｃの種別に応じて、異なる色彩で構成されている。本実施形態では、正極用の接続端子Ｃ（ここでは、Ｃ１、Ｃ３及びＣ５）と、負極用の接続端子Ｃ（ここでは、Ｃ２、Ｃ４及びＣ６）とを識別し得るように、正極用の接続端子Ｃには赤色の色彩を有する装飾部材Ｃｂ１、Ｃｂ３、Ｃｂ５（図５を参照）を設け、負極用の接続端子Ｃには、装飾部材を設けない構成（即ち、筐体１００と同色の銀色）としている。但し、色彩により、６つの接続端子Ｃそれぞれを、個別に識別可能に構成してもよい。
【００５４】
印字部Ｍは、筐体１００の外側壁面に印字された文字、記号又は図形である。印字部Ｍは、ユーザに、接続端子Ｃそれぞれの種別を識別させるための標識として機能する。印字部Ｍは、筐体１００の外側壁面において、接続端子Ｃそれぞれに隣接する位置に形成されている。本実施形態に係る電力変換装置１は、例えば、接続端子Ｃ１の種別を示す「Ｌｉ＋」と記された印字部Ｍ１、接続端子Ｃ２の種別を示す「Ｌｉ−」と記された印字部Ｍ２、接続端子Ｃ３の種別を示す「Ｐｄ＋」と記された印字部Ｍ３、接続端子Ｃ４の種別を示す「Ｐｄ−」と記された印字部Ｍ４、接続端子Ｃ５の種別を示す「ＩＮＶ＋」と記された印字部Ｍ５、及び、接続端子Ｃ６の種別を示す「ＩＮＶ−」と記された印字部Ｍ６を有している。
【００５５】
ガイド部材Ｃａは、接続端子Ｃそれぞれの周囲を囲繞し、接続端子Ｃに接続する外部配線Ｌの延在方向を規制する（図７を参照）。ガイド部材Ｃａ１は、外部配線Ｌが通過し得る領域を規制するガイド溝Ｃａａ１、Ｃａａ３、Ｃａａ５を有している。具体的には、ガイド部材Ｃａ１は、上方向に設けたガイド溝Ｃａａ１により、接続端子Ｃ１に外部配線Ｌ１を接続する際には、外部配線Ｌ１が、接続端子Ｃ１の上方向から接続端子Ｃ１まで引き延ばされた状態となるように、外部配線Ｌ１の延在方向を規制する。又、ガイド部材Ｃａ５は、左上方向に設けたガイド溝Ｃａａ５により、接続端子Ｃ５に外部配線Ｌ５を接続する際には、外部配線Ｌ５が、接続端子Ｃ５の左上方向から接続端子Ｃ５まで引き延ばされた状態となるように、外部配線Ｌ５の延在方向を規制する。
【００５６】
本実施形態に係る電力変換装置１においては、当該構成によって、外部配線Ｌの配線長の制約により、外部装置と接続する接続端子Ｃとして不適切な接続端子Ｃについては、当該外部装置から引き延ばされる外部配線Ｌからは距離的に届かない状態としている。これにより、外部配線Ｌの誤接続を防止する。
【００５７】
又、ガイド部材Ｃａは、ガイド溝Ｃａａの溝形状によって、外部から接続端子Ｃに引き延ばし可能な外部配線Ｌの種別を規制する。本実施形態では、例えば、ガイド部材Ｃａ５のガイド溝Ｃａａ５の溝幅が、ガイド部材Ｃａ１のガイド溝Ｃａａ１の溝幅よりも狭く設定されている。ここで、外部配線Ｌの規制部Ｌｄは、当該外部配線Ｌを接続する対象の接続端子Ｃの周囲のガイド部材Ｃａのガイド溝Ｃａａの形状（ここでは、幅）にあわせて形成されており、外部配線Ｌ１の規制部Ｌｄは、外部配線Ｌ５の規制部Ｌｄよりも幅が大きくなるように形成されている。そのため、仮に誤って外部配線Ｌ１を接続端子Ｃ５に接続しようとした場合であっても、当該外部配線Ｌ１の規制部Ｌｄがガイド部材Ｃａ５に干渉されて、ガイド部材Ｃａ５のガイド溝Ｃａａ５を挿通できない構造となっている。
【００５８】
本実施形態に係る電力変換装置１においては、当該構成によって、ある外部装置から引き延ばされた外部配線Ｌから見て、接続対象として不適切な接続端子Ｃには、当該外部配線Ｌの形状（即ち、規制部Ｌｄの形状）上の制約により、当該外部配線Ｌを当該接続端子Ｃに接続不可能な状態とすることができる。これによって、外部配線Ｌの誤接続を防止する。
【００５９】
［効果］
以上のように、本実施形態に係る電力変換装置１は、第１電力変換器（例えば、充電器２０）に外部から電気接続するための第１接続端子（例えば、接続端子Ｃ１）と、第２電力変換器（例えば、ＤＣ／ＤＣコンバータ３０）に外部から電気接続するための第２接続端子（例えば、接続端子Ｃ３）と、を備え、第１接続端子と第２接続端子とは、接続端子Ｃの端子構造、接続端子Ｃの配設位置、接続端子Ｃの色彩、及び、接続端子Ｃに隣接して設ける印字部Ｍ等によって、互いに識別可能に構成されている。
【００６０】
これによって、外部配線Ｌの誤接続を防止することができる。
【００６１】
（その他の実施形態）
本発明は、上記実施形態に限らず、種々に変形態様が考えられる。
【００６２】
上記実施形態では、筐体１００の一例として、上ケース１００Ｕと下ケース１００Ｄとを接続して構成された態様を示した。しかしながら、本発明において、筐体１００は、一つのケースで構成されてもよいし、３以上のケースを接続して構成されてもよい。
【００６３】
又、上記実施形態では、下ケース１００Ｄに、ＡＣフィルタ部１０及び充電器２０が収納され、上ケース１００Ｕに、ＤＣ／ＤＣコンバータ３０、及びインバータ４０が収納される態様を示した。しかしながら、各ケースに収納される電力変換器の組み合わせは他の態様であってもよい。例えば、下ケース１００Ｄに、ＡＣフィルタ部、充電器２０及び、ＤＣ／ＤＣコンバータ３０が収納され、上ケース１００Ｕに、インバータ４０が収納されても良い。
【００６４】
又、上記実施形態では、電力変換装置１は、ＡＣフィルタ部１０、充電器２０、ＤＣ／ＤＣコンバータ３０、インバータ４０を備える態様を示した。しかしながら、本発明において、電力変換器は、上記以外の電力変換器で構成されてもよいし、上記に加えて別の電力変換器を含むように構成されてもよい。
【００６５】
又、上記実施形態では、接続端子Ｃの一例として、差込型接続端子を示した。しかしながら、本発明において、接続端子Ｃは、外部配線Ｌの端子部Ｌａとの嵌合状態等により、外部配線Ｌの誤接続状態が識別可能であれば、他の端子構造を有するものであってもよい。
【００６６】
又、上記実施形態では、電力変換装置１の一例として、複数の接続端子Ｃを、接続端子Ｃの端子構造、接続端子Ｃの配設位置、接続端子Ｃの色彩、及び、接続端子Ｃに隣接して設ける印字部Ｍにより、互いに識別可能に構成する態様を示した。しかしながら、本発明において、電力変換装置１は、これらの識別機能のいずれか一つのみを採用するものであってもよい。
【００６７】
又、上記実施形態では、電力線用の各接続端子Ｃを識別可能にするための構成について、説明した。しかしながら、上記実施形態で示した各構成は、制御線用の接続端子に対しても、適用可能である。
【００６８】
以上、本発明の具体例を詳細に説明したが、これらは例示にすぎず、請求の範囲を限定するものではない。請求の範囲に記載の技術には、以上に例示した具体例を様々に変形、変更したものが含まれる。
【産業上の利用可能性】
【００６９】
本開示に係る電力変換装置によれば、外部配線の誤接続を防止することが可能である。
【符号の説明】
【００７０】
１  電力変換装置
２  外部電源
３  バッテリ
４  電気負荷
５  モータ
１０  ＡＣフィルタ部
２０  充電器
２１  整流回路
２２  力率改善回路
２３  電圧変換回路
３０  ＤＣ／ＤＣコンバータ
４０  インバータ
５０  制御部
１００  筐体
１００Ｄ  下ケース
１００Ｄｇ、１００Ｄｈ、１００Ｄｉ  ボルト穴
１００Ｄｊ、１００Ｄｋ、１００Ｄｌ、１００Ｄｍ  貫通孔
１００Ｄｎ  放熱フィン
１００Ｕ  上ケース
１００Ｕｇ、１００Ｕｈ、１００Ｕｉ  ボルト穴
１００Ｕｊ、１００Ｕｋ、１００Ｕｌ、１００Ｕｍ  貫通孔
１００Ｕｎ  放熱フィン
Ｃ１〜Ｃ８  接続端子（第１接続端子、第２接続端子）
Ｃａ１、Ｃａ３、Ｃａ５  ガイド部材（第１ガイド部材、第２ガイド部材）
Ｃａａ１、Ｃａａ３、Ｃａａ５  ガイド溝
Ｃ１Ｔ、Ｃ３Ｔ、Ｃ５Ｔ  ナット
Ｃ２Ｔ、Ｃ４Ｔ、Ｃ６Ｔ  ボルト
Ｌ１〜Ｌ８  外部配線
Ｌａ  端子部
Ｌｂ  端子部
Ｌｃ  配線部
Ｌｄ  規制部
Ｍ１〜Ｍ６  印字部
【図１】
2020167808.tif 000003
【図２】
2020167808.tif 000004
【図３Ａ】
2020167808.tif 000005
【図３Ｂ】
2020167808.tif 000006
【図４】
2020167808.tif 000007
【図５】
2020167808.tif 000008
【図６】
2020167808.tif 000009
【図７】
2020167808.tif 000010
【図８】
2020167808.tif 000011